(57)【特許請求の範囲】
【請求項１】
電極ホルダー２９と、電極ホルダー２９の前側中央に固定される中央電極３０と、中央電極３０の周りを囲む円筒状の対向電極３１と、中央電極３０と対向電極３１との間を絶縁遮断する誘電筒体４６とを備えており、
電極ホルダー２９は、ボス部３３と、ボス部３３の外周に設けた放射状の保持腕３４と、ボス部３３の前側に形成されて対向電極３１が外嵌支持される円筒状の筒壁３５と、中央電極３０が位置決め支持される中央電極支持部３８とを一体に成形した絶縁性プラスチック成形品であり、
対向電極３１は、リング状の電極部４３と、電極部４３の後縁から後ろ向きに延びる取付脚４４とを含み、電極部４３を前記筒壁３５に外嵌し、取付脚４４を電極ホルダー２９の周面段部に折り曲げて固定してあり、
誘電筒体４６は、雲母、ガラス、セラミックスから選ばれる無機質絶縁素材で円筒状に形成されて、中央電極３０の前端の放電部４２より前方へ突出するよう、誘電筒体４６の後端が筒壁３５の内面に嵌め込み固定されており、
中央電極３０と、誘電筒体４６と、対向電極３１とが、中央電極３０を中心にして同心円状に配置してあり、
中央電極３０と対向電極３１との間の高電圧印加による放電で生成したイオンないしオゾンを、電極ホルダー２９の後方から前方へ向かって強制的に送給するイオン送給手段を備えており、
イオン送給手段が、空気流を生起する送風装置６を含んでいることを特徴とする放電装置。
【請求項２】
イオン送給手段が、送風装置６と、誘電筒体４６および対向電極３１の外面を覆う導風筒２３とからなり、
導風筒２３は、前後端が開口していて、送風装置６で生起した空気流を誘電筒体４６および対向電極３１の後方から前方へ向かって強制的に流動案内できる請求項１記載の放電装置。
【請求項３】
誘電筒体４６で囲まれる放電空間Ｓ内に、中央電極３０が設けられており、
電極ホルダー２９に、送風装置６で生起した空気流を放電空間Ｓへ導入案内する導風通路５６が形成してある請求項１記載の放電装置。
【請求項４】
導風筒２３が、誘電筒体４６および対向電極３１の周囲を囲む第１筒部２４を備えており、
誘電筒体４６と第１筒部２４との間にオリフィス部Ｒが形成してある請求項２記載の放電装置。
【請求項５】
導風筒２３が、誘電筒体４６および対向電極３１の周囲を囲む第１筒部２４と、第１筒部２４に連続して前方へ突出する第２筒部２５とで構成してある請求項４記載の放電装置。
【発明の詳細な説明】
【０００１】
【発明の属する技術分野】
本発明は、マイナスイオン、プラスイオン、およびオゾンを生成するための放電装置、なかでも尖端放電方式の放電装置に関する。
【０００２】
【従来の技術】
マイナスイオンやオゾンを生成するための放電装置には、例えば特開平１１−６０２０９号公報にみられる沿面放電方式と、特許第３０１７１４６号公報にみられる尖端放電方式等が知られている。後者においては、両端が開口する筒状の対向電極と、対向電極の開口部の外側に配置した中央電極と、両電極を位置保持する電極取付部材とで放電装置を構成している。実用新案登録第３０６１５８５号公報には、筒状の誘電体の外面に対向電極を、筒内面に複数の放電電極を配置した放電装置が開示されている。
【０００３】
【発明が解決しようとする課題】
上記のように、筒状の対向電極と、対向電極の開口部の外側に配置した中央電極とで構成した放電装置によれば、生成したオゾンやマイナスイオンを、電動ファンを用いる必要もなく対向電極の筒軸芯に沿って送給できる。しかし、電極取付部材に固定した片持ち梁状の腕と、腕の尖端に固定される電極ホルダーとで、中央電極を対向電極の中心軸上に位置保持するので、長期使用時に中央電極の尖端が対向電極の中心軸線からずれやすい。このように対向電極の開口縁と中央電極の尖端との距離が不均等になると、電界が局部的に集中し不整放電（火花放電）を生じ、不整放電を生じた部分が放電時の熱で溶けたり、誘電体が過熱されて劣化するおそれがある。周辺空気を取り込んでマイナスイオンを生成する場合には、空気と共に取り込まれた塵埃が対向電極や誘電筒に付着し、長期使用時に堆積した塵埃塊に電界が集中して火花放電を生じることもある。
【０００４】
生成したオゾンやマイナスイオンをオゾン風やイオン風の自己送給作用のみで送り出す放電装置は、集塵装置として、あるいは生成したオゾンによる食品等の殺菌、脱色、脱臭などの用途に適用するのには問題ないが、マイナスイオンを遠方にまで到達させる用途には適さない。放電装置を組み込んだヘアードライヤーにおいては、例えばマイナスイオンをファンで生起した空気流と共に毛髪に吹き付けるが、自己送給作用のみでマイナスイオンを送り出す放電装置を適用した場合、マイナスイオンが送給経路の途中において空気流の中に薄く拡散しあるいは減耗するため、マイナスイオンを分布密度が高い状態で効果的に送給できないのである。
【０００５】
本発明の目的は、中央電極と対向電極との相対的な位置関係を常に適正に保持でき、従って電界が局部的に集中して不整放電が生じるのを解消し、長期使用時にも常に効果的にマイナスイオンやオゾン等を生成することができる放電装置を提供することにある。本発明の目的は、空気中に含まれる塵埃の堆積や付着に伴う不整放電やトラッキング現象を防止できる放電装置を提供することにある。本発明の目的は、両電極を絶縁遮断する誘電体がオゾンや熱によって劣化するのを解消でき、耐久性に優れた放電装置を提供することにある。本発明の目的は、生成したイオンやオゾンを送風装置で生起した空気流に乗せて遠くまで送ることができ、しかもイオンが送給経路の途中において空気流の中に薄く拡散しあるいは減耗するのを防止でき、イオンを分布密度が高い状態で遠方まで効果的に送給できる、ヘアードライヤー等の温風供給機に適用して好適な放電装置を提供することにある。
【０００６】
【課題を解決するための手段】
本発明の放電装置は、図１および図２に示すごとく、中央電極３０と、中央電極３０の周りを囲む対向電極３１と、中央電極３０と対向電極３１との間を絶縁遮断する誘電体部３２と、絶縁性のプラスチック材で成形された電極ホルダー２９とを備えている。電極ホルダー２９の一側に、中央電極支持部３８と筒壁３５とを形成する。中央電極支持部３８に固定した中央電極３０と、誘電体部３２と、筒壁３５に固定した対向電極３１とを、中央電極３０を中心にして同心円状に配置する。
【０００７】
誘電体部３２は、図１に示すごとく、中央電極３０の前端の放電部４２より前方へ大きく突出するように設けることができる。
【０００８】
誘電体部３２は、中央電極３０と対向電極３１との間を絶縁遮断する誘電筒体４６と、対向電極３１を支持する筒壁３５とで構成する。
【０００９】
誘電筒体４６は、雲母、ガラス、セラミックス等の無機質絶縁体で筒状に形成する。誘電筒体４６は筒壁３５の内面に固定する。
【００１０】
中央電極３０と対向電極３１とは、それぞれ電極ホルダー２９の一側において給電用のリード線４７に接続されており、中央電極３０とリード線４７との接続部分が、電極ホルダー２９に設けた逃げ凹部３６に収容されて、逃げ凹部３６に充填したシール材４８で封止されている。
【００１１】
中央電極３０と対向電極３１との間のコロナ放電で生成したイオンないしオゾンを、電極ホルダー２９の一方から他方へ向かって強制的に送給するイオン送給手段を備えており、このイオン送給手段が、空気流を生起する送風装置６を含んでいる。
【００１２】
イオン送給手段は、送風装置６と、誘電体部３２および対向電極３１の外面を覆う導風筒２３とからなり、導風筒２３は前後端が開口していて、送風装置６で生起した空気流を誘電体部３２および対向電極３１の後方から前方へ向かって強制的に流動案内できる。
【００１３】
また、誘電体部３２で囲まれる放電空間Ｓ内に中央電極３０を設け、電極ホルダー２９には、図１０に示すごとく、送風装置６で生起した空気流を放電空間Ｓへ導入案内する導風通路５６を形成しておくことができる。
【００１４】
導風筒２３は、誘電体部３２および対向電極３１の周囲を囲む第１筒部２４を備えている。誘電体部３２と第１筒部２４との間にオリフィス部Ｒを形成する。
【００１５】
導風筒２３は、誘電体部３２および対向電極３１の周囲を囲む第１筒部２４と、第１筒部２４に連続して前方へ突出する第２筒部２５とで構成する。
【００１６】
【発明の作用効果】
本発明の放電装置においては、絶縁性のプラスチック材で成形した電極ホルダー２９に筒壁３５と中央電極支持部３８を設け、中央電極支持部３８に固定した中央電極３０と、誘電体部３２と、筒壁３５に固定した対向電極３１の三者を、中央電極３０を中心にして同心円状に配置するので、放電装置１６の構成部品点数を最小限化しながらその構造強度を向上でき、中央電極３０と誘電体部３２と対向電極３１との三者の位置関係を長期に亘って適正に位置決めできる。従って電界が局部的に集中して不整放電が生じるのを確実に解消できる。長期使用時にも中央電極３０の位置ずれをよく防止するので、常に効果的にマイナスイオンやオゾン等を生成できる。また、両電極３０・３１および誘電体部３２を、電極ホルダー２９と一体化することにより、放電装置１６を１個のユニット部品として取り扱うことができ、各電極３０・３１の電極ホルダー２９に対する組み付けが正確にしかも容易に行える。
【００１７】
誘電体部３２が中央電極３０の前端の放電部４２より前方へ大きく突出していると、放電部４２の周囲を誘電体部３２で覆って、空気中に浮遊する塵埃が放電部４２に付着して堆積するのを確実に防止できる。従って、長期にわたって放電装置１６を使用する場合に、堆積したほこりを介して電界が歪み、不整放電が生じるのを防止でき、従来のこの種放電装置に比べて信頼性を向上できる。
【００１８】
誘電体部３２を誘電筒体４６と筒壁３５とで構成すると、中央電極３０と対向電極３１との間を誘電筒体４６と筒壁３５とで２重に絶縁できるので、両電極３０・３１の位置関係に僅かなずれが生じて電界が歪む場合にも、火花放電が生じるのを確実に防止してイオンおよびオゾンを効果的に生成できる。誘電筒体４６で放電部４２の周囲を覆って、塵埃等が放電部４２に付着して堆積するのを防止でき、例えばマイナスイオンが対向電極３１側に引き寄せられるのも確実に防止できる。
【００１９】
雲母、ガラス、セラミックス等の無機質絶縁体で誘電筒体４６を筒状に形成すると、耐熱性、耐オゾン性に優れた誘電筒体４６が得られ、長期使用時にも誘電筒耐４６の劣化を防止して、劣化に伴う絶縁破壊を解消できる。とくに、前方に突出した誘電筒体４６が無機質絶縁体で構成されるので、万一トラッキング現象が起きたとしても、耐熱性に優れるので、誘電体部３２の破損を防止することができる。
【００２０】
中央電極３０とリード線４７との接続部分を電極ホルダー２９の逃げ凹部３６に収容し、逃げ凹部３６に充填したシール材４８で接続部分を封止して絶縁してあると、中央電極３０および対向電極３１のリード線４７との接続部の側で、火花放電が生じるのを防止できる。
【００２１】
生成したイオンないしオゾンが、空気流を生起する送風装置６で一方向へ強制的に送給されるイオン送給手段を備えた放電装置１６によれば、イオン風やオゾン風の自己送給作用のみで送り出す場合に比べて、イオンないしオゾンを空気流に乗せた状態でより遠くまで確実に送給でき、空気流と共に送給されたイオンやオゾンの分布密度を向上できる。
【００２２】
誘電体部３２および対向電極３１の外面を覆う導風筒２３と送風装置６とで構成したイオン送給手段によれば、生成したイオンないしオゾンを導風筒２３によって隔離案内できるので、イオンやオゾンが空気中に広く拡散し、分布密度が低下するの防止できるとともに、イオンが導風筒２３の周辺の部品表面等に接触して電気的に中和するのを確実に防止できる。イオンやオゾンは導風筒２３を通過する空気流に乗せた状態で、誘電体部３２および対向電極３１の後方から前方へ向かって強制的に流動させるので、開放された空気流で移送する場合に比べて、イオンやオゾンの到達距離を大きくできる。例えば、放電装置をヘアードライヤーに適用するような場合には、イオンが送風経路で減耗し、あるいは毛髪と接触できないまま無駄に放出されてしまうのを解消して、効果的にマイナスイオンを毛髪へ吹き付けることができる。
【００２３】
図１０に示すごとく電極ホルダー２９に導風通路５６を形成し、送風装置６で生起した空気流を導風通路５６を介して放電空間Ｓへ直接に導入案内できるようにした放電装置によれば、放電空間Ｓに浮遊するイオンやオゾンを、空気流に乗せて放電空間Ｓの外へ強制的に排出できるので、中央電極３０の近傍に浮遊するイオンやオゾンが対向電極３１あるいは中央電極３０に吸着されて中和消滅するのを確実に防止できる。また、微少水滴等を含んだ新鮮な空気を積極的に導入できるので、イオン量の低下を可及的に防止できる。
【００２４】
誘電体部３２の筒端を第１筒部２４に臨ませて、誘電体部３２と第１筒部２４との間にオリフィス部Ｒを形成した導風筒２３によれば、オリフィス部Ｒを通過する空気流の流速が他の部位より増加し、生成したイオンやオゾンを、流速は高いが圧力は低い空気流に吸い込んで速やかに下流側へ送給できる。とくに、誘電筒体２８の先端近傍を浮遊し対向電極３１に向かおうとするイオンが早い流速によって押し戻されるので、対向電極３１に吸着されて中和消滅されるのを確実に防止でき、イオンを分布密度が高い状態のままで効果的に送給することができる。
【００２５】
第１筒部２４に連続して前方へ突出する第２筒部２５を設けた導風筒２３によれば、イオンやオゾンをオリフィス部Ｒを通過した後も移行案内できるので、その分だけ空気流の到達距離が更に大きくなる。
【００２６】
【実施例】
図１ないし図５は本発明の放電装置をヘアードライヤーに適用した実施例を示す。図２においてヘアードライヤーは、横長筒状の本体ケース１と、その下面一側に設けたハンドル２とを有し、これらの内部に送風ユニットや、制御用の電気部品等を収容してなる。本体ケース１の前端側には、ファン６（送風装置）で生起した空気流を流動案内する風導体１Ａが装着してある。ハンドル２の前面および後面には、風量制御とヒータスイッチを兼ねる電源スイッチノブ３と、イオン発生部への通電をオン・オフするイオンスイッチノブ４が設けてある。ハンドル２の内部には、先のスイッチノブ３・４で切り換え操作されるスイッチが収容してある。想像線で示すように、ハンドル２は本体ケース１に対して折り畳み可能に連結してある。
【００２７】
本体ケース１内において送風ユニットは、モーターケース５と、モーターケース５に組み付けられるモーター７およびファン６と、十文字状に組まれた絶縁枠８に螺旋状に巻き付けられるヒーター９とを含む。ファン６は一方向へ回転駆動されて、本体ケース１の後端の吸込み口１０から吸い込んだ空気を加圧して、前端の風導体１Ａの吹出し口１１から吹き出す。後述するように、ファン６はイオン生成手段で生成したイオンを吹出し口１１からできるだけ遠くまで送り出すための送風装置を兼ねる。
【００２８】
ファン６で生起した空気流と共にマイナスイオンを毛髪に吹き付けるために、イオン生成手段が本体ケース１内に組み込まれている。図３においてイオン生成手段は、商用電源（１００Ｖ）からの電流を半波整流する整流回路１３と、整流した後の電流をパルス電流に変換するパルス発生回路１４と、パルス電流を例えば４ｋＶの高電圧に昇圧するトランス１５と、放電装置１６と、トランス１５と放電装置１６との間に設けられるダイオード１７などで構成してある。整流回路１３とパルス発生回路１４とは回路基板１８に実装されており、回路基板１８と昇圧用のトランス１５は、ヒーター９用の絶縁枠８を切り欠いて形成した空間に配置され、放電装置１６は風導体１Ａの内部に組み込んである。
【００２９】
図４ないし図６において風導体１Ａの内部には、整流筒２０と吹出しグリル２１とが組み込んであり、先の放電装置１６を整流筒２０で支持して、ファン６で生起した空気流のほぼ中央に放電装置１６を保持している。整流筒２０は、断面円形の筒壁を有し、その内部前端に放射状に設けた整流翼２２と、筒壁の中央に設けた導風筒２３とを一体に形成したプラスチック成形品からなる。吹出しグリル２１を風導体１Ａの内部に嵌め込んだ後、整流筒２０を風導体１Ａに内嵌固定することにより、これら三者が１個のユニット部品として取り扱えるようになっている。整流翼２２は、ファン６で生起された旋回する空気流を直線状の空気流に整流する。
【００３０】
図１において導風筒２３は、先すぼまりテーパー状の第１筒部２４と第１筒部２４の前側の小径端に連続して前方へ突出する第２筒部２５とで形成してあり、第１筒部２４の内部に放電装置１６を組み込んである。第２筒部２５の前端は、風導体１Ａの吹出し口１１の中央に位置する状態で、吹出しグリル２１および吹出し口１１の開口面より外側へ突出している。符号２６は導風筒２３の後ろ側の入り口、２７は導風筒２３の前側の出口である。
【００３１】
図１において放電装置１６は、電極ホルダー２９と、電極ホルダー２９の前側中央部に固定される中央電極３０、および中央電極３０の周りを囲む対向電極３１と、中央電極３０と対向電極３１との間の空間を絶縁遮断する誘電体部３２とで構成する。電極ホルダー２９は、多段軸状のボス部３３と、ボス部３３の外周に設けた放射状の保持腕３４と、リング状の対向電極３１を密着状に嵌合するための円筒状の筒壁３５と、先端がとがった棒状の中央電極３０を周囲から固定支持するための中央電極支持部３８とを一体成形したプラスチック成形品からなる。電極ホルダー２９の成形材料としては、導電性プラスチックではない絶縁性プラスチック材を使用できるが、筒壁３５の誘電特性を鑑みれば、誘電特性に優れ、耐オゾン性、耐熱性を有するプラスチック材、例えばポリフェニレンサルファイド（ＰＰＳ）、ポリブチレンテレフタレート（ＰＢＴ）、ポリエチレン（ＰＥ）などが好ましい。ボス部３３の前側には対向電極３１を支持する筒壁３５を形成し、後ろ側には逃げ凹部３６が形成してある。保持腕３４を第１筒部２４の内面に設けた凹部３７に嵌め込み固定することにより、電極ホルダー２９を整流筒２０に位置決め固定できる。
【００３２】
中央電極３０は放電抵抗が小さなタングステンで形成した放電針４０と、放電針４０の後端に圧入固定した位置決めボス４１とで構成してあり、放電針４０の前端を尖らせて放電部４２としている。中央電極３０は電極ホルダー２９の中心の取付孔に差し込み或いは圧入装着（いずれも放電針４０は取付孔に対して密着）されるが、その位置決めボス４１を取付穴に嵌め込むことにより、放電針４０が電極ホルダー２９の中心軸上に位置決めされた状態で、しっかりと固定できる。放電針４０の固定部としては、中央電極支持部３８に形成された取付孔の中途部分とボス４１で固定された放電針４０の後端部分であり、固定部前端から突出する自由端側（放電部４２側）の長さより充分長く構成している。従って、中央電極３０のぐらつき防止効果が高く、中央電極３０と誘電体３２と対向電極３１との三者の位置関係を適正に位置決めできる。特に、放電針４０の中途が、誘電体部兼用の対向電極３１の支持部である筒壁３５と一体成形で構成された中央電極支持部３８に固定支持されてあるので、従来のような組み付け時の誤差が少なく、さらに適正な位置決めが可能である。図５において対向電極３１は、銅または鉄製の薄板を素材にして形成したプレス金具からなり、周面の一箇所が分断されたリング状の電極部４３と、電極部４３の後縁から後ろ向きに延びる４個の取付脚４４とを一体に備えている。電極部４３を電極ホルダー２９の断面円形の筒壁３５に外嵌し、その取付脚４４を電極ホルダー２９の周面段部に折り曲げて固定することにより、電極部４３を中央電極３０に対して同心円状に位置決めした状態で固定できる。この取り付け状態において、両電極３０・３１の前端は、同一平面状に位置している。詳しくは、中央電極３０の前端の放電部４２と、対向電極３１の前端の放電縁面４５とが、筒壁３５の前側開口面を含んで中央電極３０の中心軸線と直交する平面上に位置している（図１参照）。
【００３３】
誘電体部３２は、中央電極３０と対向電極３１との間で火花放電が発生しないよう絶縁遮断する誘電筒体４６と、円筒状の対向電極３１を外嵌支持する円筒状の筒壁３５とで構成されている。誘電筒体４６は雲母、ガラス、セラミックスなどの高度の絶縁特性・耐熱性を備えた無機質の絶縁（誘電）素材で円筒状に形成する。因みに雲母を素材とする場合には、天然雲母を粉状にし、円筒状に成形したものを用いる。また、ガラスとしては、耐熱性に優れた結晶化ガラス、石英ガラス、硼珪酸ガラス等が好ましい。セラミックスを素材とする場合には、ケイ酸塩、アルミナ、ジルコニア、ステアタイト、チタン酸バリウム等を主原料とする粉末を焼成して円筒状に形成したものを用いる。誘電筒体４６としてセラミックスを用いれば、電子の移動を阻止する絶縁遮断効果に加え、ドライヤー等温風装置に適用した場合に、遠赤外線が放射されるので、毛髪の乾燥向上効果が期待でき、また身体の治療効果も期待できる。
【００３４】
誘電筒体４６は、その後端を筒壁３５の内面に嵌め込み固定して電極ホルダー２９と一体化されており、この固定状態において対向電極３１と誘電筒体４６とは、中央電極３０を中心とする同心円の関係にあり、誘電筒体４６の前部筒端は、第１筒部２４の前端寄り部に臨んで誘電筒体４６と第１筒部２４との間にオリフィス部Ｒを形成している。中央電極３０と対向電極３１との間で不整放電が生じるのを防いで、効果的にマイナスイオンを生成するために、誘電筒体４６は中央電極３０の放電部４２より前方へ大きく突出している。図１に示すように中央電極３０とトランス１５および対向電極３１とトランス１５とは、それぞれリード線４７で接続するが、リード線４７が半田付けされた個所の間でスパークが生じるのを防ぐために、中央電極３０とリード線４７とは、ボス部３３の後ろ側の逃げ凹部３６内に収容し、該凹部３６に充填した絶縁性のシール材４８で封止してある。シール材としてはシリコン等の絶縁性の接着剤を用いることができる。
【００３５】
上記構成の放電装置１６によれば、トランス１５で昇圧した高電圧のうち、ダイオード１７を通過したマイナス電流のみを中央電極３０に印加することにより、中央電極３０から対向電極３１に向けて電子を放出し、空気中の酸素、微少水滴、塵等をマイナスに帯電させてマイナスイオン化できる。放電装置１６で生成されたマイナスイオンは、導風筒２３内に導入された空気流によって、第２筒部２５を経由してその出口２７から前方へ吹き出る。このとき、導風筒２３内に導入された空気流は、通路断面積が他より小さなオリフィス部Ｒを通過する時に流速が増加し圧力が低下する。そのため、両電極３０・３１の周辺に浮遊するマイナスイオンやオゾンは、オリフィス部Ｒを通過する空気流に吸引されて速やかに第２筒部２５へと送り込まれる。従って、誘電筒体２８の先端近傍に浮遊し、対向電極３１に向かおうとするイオンが対向電極３１に吸着されて中和消滅するのを防止して、分布密度が高い状態のイオン流を形成できる。
【００３６】
マイナスイオンを導風筒２３内に封じ込んだ状態で吹出し口１１まで供給できるので、マイナスイオンが放電装置１６と吹出し口１１との間の風導部を通過する主たる空気流の中に拡散して、その分布密度が低下するの防止できるうえ、マイナスイオンが風導部内に組み込まれたケースや吹出しグリル２１などの部品の表面と接触して電気的に中和するのを確実に防止できる。さらに、導風筒２３の出口２７は、吹出し口１１の中央に位置して、吹出し口１１の開口面より前方に突出しているので、導風筒２３の出口２７から放出されたマイナスイオンは、吹出し口１１から吹出される空気流の中心に包まれた状態で確実に毛髪へ到達できる。吹出し口１１の直前に整流翼２２を設けて、吹出し口１１から吹き出される主たる空気の流れが旋回するのを抑止できるので、導風筒２３から出たマイナスイオンが主たる空気流の中に拡散するのをよく防止でき、この点でもマイナスイオンの毛髪への到達量を向上できる。
【００３７】
ヘアードライヤーでは、図８に示すように、必要に応じて風導体１Ａの吹出し口１１に先すぼまり円筒状のノズル５０を付加して使用することがある。そのノズル５０の内面には内筒５１を固定してある。内筒５０の内面には、木の葉形の整流翼５２（図９参照）を設け、その中央部に前後向きの保持ボス５３が一体に形成されている。保持ボス５３には通路筒５４を内嵌装着してあり、ノズル５０を風導体１Ａの吹出し口１１に装着した状態においては、通路筒５４が導風筒２３の出口２７に隣接して、導風筒２３から出たマイナスイオンをノズル５０の吹出し口５５の開口面の中央へ移行案内する。このように、ノズル５０側に設けた通路筒５４でマイナスイオンを吹出し口５５の開口面へ移行案内すると、マイナスイオンがノズル内部を通過する主たる空気流の中に拡散するのを防止して、マイナスイオンを毛髪に対して分布密度が高い状態で効果的に送給することができる。
【００３８】
図１０は放電装置の別実施例を示す。そこでは、電極ホルダー２９のボス部３３に、これの後端から誘電筒体４６で囲まれる放電空間Ｓ内へ向かって導風通路５６を形成し、ファン６で生起した空気流を導風通路５６を介して放電空間Ｓへ直接に導入できるようにした。この場合には、図１０の想像線で示すように、電極ホルダー２９の後部に前すぼまりテーパー状のガイド筒５７を設けて、ファン６で生起した空気流の一部を放電空間Ｓへ効率よく導入することができる。このように、ファン６で生起した空気流は導風通路５６を介して放電空間Ｓへ直接導入すると、放電空間Ｓに浮遊するイオンやオゾンを、空気流に乗せて放電空間Ｓの外へ強制的に排出でき、放電空間Ｓの近傍に浮遊するイオンやオゾンが対向電極３１あるいは中央電極３０に吸着されて中和消滅するのを防止できる。
【００３９】
図１１は中央電極３０の固定構造の別の実施例を示す。図１１（ａ）では、中央電極３０を放電針４０のみで形成し、放電針４０を中央電極支持部３８に設けた装着穴に圧入し、さらに針後端を逃げ凹部３６に充填したシール材４８で固めて、放電針４０を電極ホルダー２９に対して位置決めした状態の許で強固に固定できるようにした。ここでも、先の実施例と同様に、放電針４０の固定部の長さを、固定部前端から突出する自由端側（放電部４２側）の長さより充分長く構成しているので、放電針４０のぐらつきを確実に防止でき、中央電極３０と誘電体３２と対向電極３１との三者の位置関係を適正に位置決めできる。しかも、中央電極支持部３８は、誘電体部兼用の対向電極３１の支持部である筒壁３５と一体成形で構成されてあるので、組み付け時の誤差が少なく、さらに適正な位置決めが可能である。なお、放電針４０は、電極ホルダーに対しインサート成形されたものであってもよい。図１１（ｂ）では、先の実施例と同様に、中央電極３０を放電針４０と、放電針４０の後端に固定した位置決めボス４１とで構成するが、中央電極支持部３８に設けられる通口を放電針４０の直径より大きく形成して、位置決めボス４１を取付穴に嵌め込むことによって、中央電極３０の位置決めと固定を行うようにした。
【００４０】
図１２は放電装置の別実施例を示す。そこでは、導風筒２３を直線筒で形成し、誘電筒体４６の前部を前拡がりテーパー筒状に形成して、誘電筒体４６の突端と導風筒２３との間にオリフィス部Ｒを形成した。このように、オリフィス部Ｒは導風筒２３と誘電筒体４６との間に形成してあればよく、必要があれば導風筒２３の内面、あるいは誘電筒体４６の外面に別ピースを組み付けてオリフィス部Ｒを形成することができる。
【００４１】
上記の実施例以外に、中央電極３０は針状である必要はなく、細い筒状に形成されていてもよく、その場合には、筒の先端縁を鋸歯状に尖らせて複数の放電部４２を形成することができる。放電部４２は、その先端を筒壁３５の開口面より前方へ突出させておくことができる。中央電極３０の前端の放電部４２と、対向電極３１の前端の放電縁面４５とは、必ずしも中央電極３０の中心軸線と直交する平面上に位置させる必要はない。例えば、放電部４２を筒壁３５の開口面より後側に位置させることができる。
【００４２】
放電装置は、マイナスイオン以外に、プラスイオンやオゾンを生成するために使用でき、必要があればマイナスイオンとプラスイオンとを交互に生成するために使用することができる。本発明の放電装置は、ハンドドライヤー、ヘアブロッサー、足乾燥機等の温風供給機、あるいは扇風機等にも組み込むことができ、クリーンルーム内に適用して集塵機として使用することができる。
【図面の簡単な説明】
【図１】放電装置の縦断面図である。
【図２】ヘアードライヤーの全体の縦断側面図である。
【図３】イオン発生手段の概略を示す説明する概念図である。
【図４】ヘアードライヤーにおけるイオン発生部の縦断面図である。
【図５】整流筒とイオン発生部との関係構造を示す分解斜視図である。
【図６】風導体およびノズルの分解斜視図である。
【図７】図４におけるＡ−Ａ線断面図である。
【図８】ノズルの使用状態を示す縦断側面図である。
【図９】ノズルの正面図である。
【図１０】放電装置の別実施例を示す断面図である。
【図１１】中央電極の固定構造の別実施例を示す断面図である。
【図１２】放電装置のさらに別の実施例を示す断面図である。
【符号の説明】
１  本体ケース
６  ファン
１６  放電装置
２３  導風筒
２４  導風筒の第１筒部
２５  導風筒の第２筒部
２９  電極ホルダー
３０  中央電極
３１  対向電極
３２  誘電体部
３５  電極ホルダーの筒壁
３６  逃げ凹部
３８  中央電極支持部
４２  中央電極の放電部
４５  対向電極の放電縁面
４６  誘電筒体
４７  リード線
４８  シール材
【図１】
0003591723.tif 000002
【図２】
0003591723.tif 000003
【図３】
0003591723.tif 000004
【図４】
0003591723.tif 000005
【図５】
0003591723.tif 000006
【図６】
0003591723.tif 000007
【図７】
0003591723.tif 000008
【図８】
0003591723.tif 000009
【図９】
0003591723.tif 000010
【図１０】
0003591723.tif 000011
【図１１】
0003591723.tif 000012
【図１２】
0003591723.tif 000013